(57)【要約】【課題】台衿部がシャツから浮いてしまわないと共に、先端が尖っているシャツ衿であってもきっちりと装着出来る付け衿を提供する。【解決手段】上衿部と台衿部で構成され、台衿部は弾性を付与するものを付着または装着したため、台衿部がシャツ本体から浮いてしまわない。また上衿部は開口した袋状に成型すると共に、左右２箇所の衿先端部分の裏面に略Ｖ字の両辺を結ぶようにスリットを入れ、その部分から本体のシャツ衿の先端部分を引き出すため、シャツ衿の先端が尖っていたとしてもきっちりと付け衿をかぶせることが出来る。【選択図】図８
2015078476.tif 000002
【特許請求の範囲】
【請求項１】
上衿部と台衿部で構成され、台衿部はポケット状としてその中側またはポケット状とせず裏面に弾性を付与するものを付着または装着したことを特徴とする付け衿。
【請求項２】
請求項１に記載した付け衿において、上衿部は開口した袋状に成型すると共に、左右２箇所の衿先端部分の裏面に略Ｖ字の両辺を結ぶようにスリットを入れることを特徴とする付け衿。
【請求項３】
請求項１または２に記載した付け衿において、付け衿先端部に表裏の貫通したボタン穴を開設したことを特徴とする付け衿。
【発明の詳細な説明】
【技術分野】
【０００１】この考案は、ワイシャツ等のシャツの衿に、その衿と略同形状の袋状の衿を被せる付け衿に関する。
【背景技術】
【０００２】シャツを着用した際、汚れやすい衿の黄ばみなどは、特に夏場クールビズで開襟シャツになった時など、着用者のみならずそれを見た者に不快感を生じさせる。また、シャツ全体を頻繁に洗濯すると当然痛みやすくなると共に、クリーニング代が嵩むといった問題もあった。そこで従来より、汚れやすい衿部分のみを交換することを目的としたさまざまな付け衿が、提案されている。
【先行技術文献】
【特許文献】
【０００３】
【特許文献１】実開昭５０−４０４３２
【特許文献２】実登３１７２９３６
【特許文献３】実開昭５２−６６５０９
【特許文献４】実登３１７７１６２
【発明の概要】
【発明が解決しようとする課題】
【０００４】特許文献１では、シャツ衿の形状に合致させた布を接着することにより袋状にし、合わせ目にボタンを導入するための穴を設けることにより、シャツへ固定する付け衿が開示されている。しかしこの固定方法の場合、本体のシャツの衿首にあるボタンを付け衿の固定に流用することになるが、本体のシャツの衿首ボタンには余裕がない為、付け衿の布が重なると厚みが発生して、極めて固定が困難になると共に、装着した場合、首回りが苦しくなってしまうという問題があった。
また、この固定方法の場合、衿首を開いた状態では固定が出来ないという問題もある。【０００５】そこで特許文献２では、固定具を利用することが提案されている。
しかし、この方法も本体のシャツの衿首にあるボタンを固定することが困難になったり、固定具自身が見えてしまうことによる視覚的な不具合があると共に、固定具の耐久性に問題があった。【０００６】特許文献１・２・３では、特に衿の先端が尖っている場合、袋状になった付け衿の先端部分に簡単にきっちりと本体のシャツの衿を先端まで入れることが困難である。また装着の際には本体のシャツ衿を立てた状態で付け衿をかぶせ、その状態でシャツの衿を折り返すことになるが、その際付け衿の台衿の部分は衿側に引っ張られる状態になる。この為、実際に本体のシャツの衿に付け衿を装着した場合、付け衿の台衿部がシャツから浮き、衿周りがルーズな状態になってしまうと言う問題がある。【０００７】特許文献４では二つ折りにしたプラスチックをシャツの衿にかぶせる付け衿が開示されている。しかしシャツの衿には様々な形状があり、本体のシャツの衿と付け衿の形状が少しでも違うと、シャツの衿が見えてしまったり、付け衿全体がプラスチック製であることから、シャツ本来のしなりによるカーブに合わせるのが困難であるという問題がある。
【課題を解決するための手段】
【０００８】上記課題を解決するために、請求項１の発明は、上衿部と台衿部で構成され、台衿部はポケット状としてその中側に、またはポケット状とせず裏面に弾性を付与するものを付着または装着したことを特徴とする付け衿である。【０００９】請求項２の発明は、請求項１に記載した付け衿において、上衿部は開口した袋状に成型すると共に、左右２箇所の衿先端部分の裏面に略Ｖ字の両辺を結ぶようにスリットを入れたことを特徴とする付け衿である。【００１０】請求項３の発明は、請求項１または２に記載した付け衿において、付け衿先端部に表裏の貫通したボタン穴を開設したことを特徴とする付け衿である。
【発明を実施するための形態】
【実施例１】
【００１１】以下に本発明の付け衿の詳細を添付図面に示した実施形態に従って説明する。
図１は付け衿の全体図を表す。この実施例１では台衿部（符号３）が図５に断面を示す様にポケット状になっており、その内側に弾性を付与するものが装着されている。この弾性を付与するものは、プラスチック板や衣料用芯地、厚紙などがあるが、洗濯する事を考慮すると、好ましくは一般的に所謂接着芯として流通しているものが望ましい。例えば、日本バイリーン株式会社製パーツ芯地５５／Ｌなどである。装着の際には図３の本体のシャツ衿を立てた状態で、図８に示すように付け衿の上衿部の袋状に開口した部分（図２符号４）から上衿部（符号２）をかぶせる（図８▲２▼）。次に付け衿裏面略Ｖ字の両辺を結ぶようにスリットを入れた部分（符号５）から本体のシャツ衿の先端部分（符合６）を引き出し（図８▲３▼）、衿の先端部の形状に合わせ、付け衿全体を本体のシャツの衿全体に沿わせた後、本体のシャツ衿の先端部を付け衿の先端部に再度挿入する（図８▲４▼）。このことにより、例えシャツ衿の先端が尖っていたとしても付け衿をきっちりとかぶせることが出来る。この後、付け衿をかぶせた状態でシャツの衿を折り返すことで装着が完了する（図８▲５▼）。
【実施例２】
【００１２】図６に断面図を示すように、この実施例２では台衿部はポケット状になっておらず、台衿部を構成する表布一枚のみであり、そこに弾性を付与するものが接着されている。それ以外の形態並びに装着方法は実施例１と同様である。
【実施例３】
【００１３】図４に示すように、所謂ボタンダウンのシャツに対応するために、付け衿の先端部分にボタン穴を設ける場合もある。
【発明の効果】
【００１４】以上に記載したところから明らかなように、本発明の付け衿は、従来の付け衿で問題になっていた装着時の不具合を解消したことにより、簡便な装脱着が出来ると共に、シャツ衿本来の形状を害することが無い。また付け衿の布の素材・デザインを替えることにより、何通りもの着せ替えをすることができ、ファッション性を高めることが出来る。
【図面の簡単な説明】
【００１５】
【図１】本発明の付け衿の平面図（表側）である。
【図２】図１に示した本発明の付け衿の裏面図である。
【図３】本体シャツの衿を立てた状態の図である。
【図４】付け衿先端部に表裏の貫通したボタン穴を開設した付け衿の平面図である。
【図５】図１Ａ−Ａ’の断面図で台衿部がポケット状である。
【図６】図１Ａ−Ａ’の断面図で台衿部をポケット状とせず裏面に弾性を付与するものを付着したものである。
【図７】本体シャツ衿に付け襟を装着した際の経過を表す断面図である。
【図８】本体シャツ衿に付け襟を装着した際の経過を表す図である。
【図９】実際の使用形状を示した透視図である。
【符号の説明】
【００１６】１付け衿全体
２付け衿上衿部
３付け衿台衿部
４付け衿上衿の開口部
５付け衿スリット
６本体シャツ衿先端部
７弾性を付与するもの
【図１】
2015078476.tif 000003
【図２】
2015078476.tif 000004
【図３】
2015078476.tif 000005
【図４】
2015078476.tif 000006
【図５】
2015078476.tif 000007
【図６】
2015078476.tif 000008
【図７】
2015078476.tif 000009
【図８】
2015078476.tif 000010
【図９】
2015078476.tif 000011